【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
タッチセンサデータの改善された処理のためのシステムであって、
タッチパネルと、
前記タッチパネルからデータを受信することと、フィルタ処理されたデータを生成し、記憶するために受信された前記データに対して初期処理タスクを行うフことと、前記初期処理タスクは、ノイズ低減機能及び画像形成機能を備え、
前記フィルタ処理されたデータが前記タッチパネル上のタッチを示さないときに、アプリケーション処理モジュールがより低い電力モードに移行することを示すスタンバイ割込みを発行することと、
前記フィルタ処理されたデータが潜在的なタッチ事象を示すときに、前記アプリケーション処理モジュールがアクティブ状態に戻ることを示すアクティブ状態割込みを発行することと、
前記フィルタ処理されたデータが前記潜在的なタッチ事象を示すことに基づいて追加の処理を必要とする前記フィルタ処理されたデータのサブセットを識別し、送信することと
を行うように構成されたスマートアナログフロントエンド（ＡＦＥ）と、
追加の処理を必要とする、送信された前記フィルタ処理されたデータのサブセットを受信し、受信された前記フィルタ処理されたデータに対して追加の処理タスクを行うように構成されたアプリケーション処理モジュールと、前記追加の処理は、前記潜在的なタッチ事象を失格にすることを備える、
を備える、システム。
【請求項２】
前記システムは、モバイル電話、コンピュータ、又はデジタル画像デバイスに実装される、請求項１に記載のシステム。
【請求項３】
前記スマートＡＦＥは、タッチスクリーンコントローラ内に含まれる、請求項１に記載のシステム。
【請求項４】
前記タッチパネルは、抵抗性、表面容量性、投影容量性、赤外線、表面弾性波、歪みゲージ、光学的画像、又は分散信号のタッチスクリーン技術のうちの１つを備える、請求項１に記載のシステム。
【請求項５】
前記アプリケーション処理モジュールは、ホスト内のアプリケーションプロセッサを備える、請求項１に記載のシステム。
【請求項６】
前記追加の処理タスクは、潜在的なタッチ事象の失格の頻度を低減するために、デルタ処理閾値及びノイズ低減アルゴリズムパラメータのうちの少なくとも１つを調整することを更に備える、請求項１に記載のシステム。
【請求項７】
タッチセンサデータの改善された処理のための方法であって、
タッチパネルからタッチデータを受信することと、
フィルタ処理されたデータを生成し、記憶するために第１のプロセッサを使用して前記タッチデータに対して初期処理機能を行うことと、ここにおいて、初期処理機能を行うことは、ノイズ低減機能、画像形成機能及びデルタ処理機能を行うことを備え、
前記フィルタ処理されたデータが前記タッチパネル上のタッチを示さないときに、第２のプロセッサにインアクティブ状態に入るように命令することと、
前記フィルタ処理されたデータが潜在的なタッチ事象を示すときに、前記第２のプロセッサがアクティブ状態に戻ることを示すアクティブ状態割込みを発行することと、
前記フィルタ処理されたデータが前記潜在的なタッチ事象を示すことに基づいて追加の処理を必要とする前記フィルタ処理されたデータのサブセットを識別し、送信することと、
前記第２のプロセッサを使用して、送信された前記フィルタ処理されたデータの前記サブセットに対して二次処理機能を行うことと、前記二次処理機能は、前記潜在的なタッチ事象を失格にすることを備える、
を備える、方法。
【請求項８】
前記第１のプロセッサは、タッチスクリーンコントローラに含まれる、請求項７に記載の方法。
【請求項９】
前記第２のプロセッサは、アプリケーションプロセッサである、請求項７に記載の方法。
【請求項１０】
二次処理機能を行うことは、潜在的なタッチ事象の失格の頻度を低減するために、デルタ処理閾値及びノイズ低減アルゴリズムパラメータのうちの少なくとも１つを調整することを更に備える、請求項７に記載の方法。
【請求項１１】
タッチパネルからタッチデータを取得することは、初期のタッチデータを取得することと、後続のタッチデータを取得することとを備える、請求項７に記載の方法。
【請求項１２】
前記デルタ処理機能は、前記初期のタッチデータと前記後続のタッチデータとの間に差分が存在するかを決定するために前記データを比較することと、前記差分が閾値より上ではない場合に、前記第２のプロセッサに不活性状態に入るように命令することと、前記第２のプロセッサへのデータのフローを停止することとを備える、請求項１１に記載の方法。
【請求項１３】
命令を備えたコンピュータ可読記憶媒体であって、
前記命令は、実行されたときに、
タッチパネルからタッチデータを受信することと、
フィルタ処理されたデータを生成し、記憶するために第１のプロセッサを使用して前記タッチデータに対して初期処理機能を行うことと、ここにおいて、初期処理機能を行うことは、ノイズ低減機能、画像形成機能、及びデルタ処理機能を行うことを備え、
前記フィルタ処理されたデータが前記タッチパネル上のタッチを示さないときに、第２のプロセッサにインアクティブ状態に入るように命令することと、
前記フィルタ処理されたデータが潜在的なタッチ事象を示すときに前記第２のプロセッサがアクティブ状態に戻ることを示すアクティブ状態割込みを発行することと、
前記フィルタ処理されたデータが前記潜在的なタッチ事象を示すことに基づいて追加の処理を必要とする前記フィルタ処理されたデータのサブセットを識別し、送信することと、
第２のプロセッサを使用して、送信された前記フィルタ処理されたデータの前記サブセットに対して二次処理機能を行うことと、前記二次処理機能は、前記潜在的なタッチ事象を失格にすることを備える、
の方法を行う、コンピュータ可読記憶媒体。
【請求項１４】
前記第１のプロセッサは、タッチスクリーンコントローラに含まれる、請求項１３に記載のコンピュータ可読記憶媒体。
【請求項１５】
前記第２のプロセッサは、アプリケーションプロセッサである、請求項１３に記載のコンピュータ可読記憶媒体。
【請求項１６】
二次処理機能を行うことは、潜在的なタッチ事象の失格の頻度を低減するために、デルタ処理閾値及びノイズ低減アルゴリズムパラメータのうちの少なくとも１つを調整することを更に備える、請求項１３に記載のコンピュータ可読記憶媒体。
【請求項１７】
タッチセンサデータの改善された処理のための装置であって、
タッチパネルからタッチデータを受信するための手段と、
フィルタ処理されたデータを生成し、記憶するために第１のプロセッサを使用して前記タッチデータに対して初期処理機能を行うための手段と、ここにおいて、初期処理機能を行うことは、ノイズ低減機能、画像形成機能及びデルタ処理機能を行うことを備え、
前記フィルタ処理されたデータが前記タッチパネル上のいずれのタッチも示さないときに、第２のプロセッサにインアクティブ状態に入るように命令するための手段と、
前記フィルタ処理されたデータが潜在的なタッチ事象を示すときに前記第２のプロセッサがアクティブ状態に戻ることを示すアクティブ状態割込みを発行するための手段と、
前記フィルタ処理されたデータが前記潜在的なタッチ事象を示すことに基づいて追加の処理を必要とする前記フィルタ処理されたデータのサブセットを識別し、送信するための手段と、
第２のプロセッサを使用して、送信された前記フィルタ処理されたデータの前記サブセットに対して二次処理機能を行うための手段と、前記二次処理機能は、前記潜在的なタッチ事象を失格にすることを備える、
を備える、装置。
【請求項１８】
タッチデータを受信するための前記手段は、タッチパネルを備える、請求項１７に記載の装置。